(57)【要約】【課題】原稿搬送装置の内部に異物が進入することを抑制しつつ、利便性を向上させることができる画像読取装置を提供する。【解決手段】画像読取装置１２０は、画像読取部１３０と、搬送経路を内部に有する筐体部１４１、供給トレイ１４４、および、供給トレイ１４４に上下方向に重なる排出トレイ１４５を含む原稿搬送装置１４０と、被覆状態と非被覆状態とに切替可能に供給トレイ１４４および排出トレイ１４５を覆うカバー部材１５０と、を備え、排出方向に沿う第１方向および上下方向に直交する方向を第２方向とした場合に、カバー部材１５０は、被覆状態において、第２方向に位置する供給トレイ１４４の一端および排出トレイ１４５の一端に対向する対向壁部１５１と、対向壁部１５１の上部に接続され、かつ、供給トレイ１４４および排出トレイ１４５の上方を覆う上壁部１５２と、を少なくとも含む。【選択図】図３
2018129581.tif 000002
【特許請求の範囲】
【請求項１】
原稿の画像を読み取る画像読取部と、
前記画像読取部によって原稿の画像が読み取られる読取位置を経由するように原稿を搬送する搬送経路を内部に有する筐体部、前記筐体部の外側に設けられ、かつ、前記搬送経路に原稿を供給するための供給トレイ、および、前記供給トレイに上下方向に重なるように前記筐体部の外側に設けれ、かつ、前記搬送経路から排出された原稿を受ける排出トレイを含む原稿搬送装置と、
前記供給トレイおよび前記排出トレイを覆った被覆状態と前記供給トレイおよび前記排出トレイが覆われていない非被覆状態とに切替可能に前記供給トレイおよび前記排出トレイを覆うカバー部材と、を備え、
前記排出トレイにおける原稿の排出方向に沿う第１方向および前記上下方向に直交する方向を第２方向とした場合に、
前記カバー部材は、前記被覆状態において、前記第２方向に位置する前記供給トレイの一端および前記排出トレイの一端に対向する対向壁部と、前記対向壁部の上部に接続され、かつ、前記供給トレイおよび前記排出トレイの上方を覆う上壁部と、を少なくとも含む、画像読取装置。
【請求項２】
前記カバー部材は、前記第２方向において前記供給トレイの前記一端側および前記排出トレイの前記一端側と反対側に位置する前記原稿搬送装置の端部側に、前記第１方向に平行な方向を回動軸とする軸回りに回動可能に取付けられている、請求項１に記載の画像読取装置。
【請求項３】
前記原稿搬送装置は、前記第２方向において前記供給トレイの前記一端側および前記排出トレイの前記一端側と反対側に位置する前記原稿搬送装置の端部に、前記第１方向に平行な方向を回動軸とする軸回りに回動可能に取付けられ、
前記筐体部は、前記原稿搬送装置を回動させるための第１取手部を有し、
前記カバー部材は、前記カバー部材を回動させるための第２取手部を有する、請求項２に記載の画像読取装置。
【請求項４】
前記カバー部材は、前記被覆状態において、前記第１方向において前記筐体部から遠い側に位置する前記供給トレイの一方端部および前記排出トレイの一方端部に対向する側壁部をさらに含む、請求項１から３のいずれか１項に記載の画像読取装置。
【請求項５】
前記側壁部は、前記第２方向に平行な方向を回動軸とする軸回りに回動可能に設けられている、請求項４に記載の画像読取装置。
【請求項６】
前記筐体部が有する色と前記カバー部材が有する色とが異なる、請求項１から５のいずれか１項に記載の画像読取装置。
【請求項７】
前記カバー部材の前記上壁部の上面は、平坦である、請求項１から６のいずれか１項に記載の画像読取装置。
【請求項８】
請求項１から７のいずれか１項に記載の画像読取装置と、
前記画像読取装置により読み取られた原稿の画像を形成する画像形成部と、を備えた画像形成装置。
【発明の詳細な説明】
【技術分野】
【０００１】
本発明は、原稿搬送装置を備えた画像読取装置および画像形成装置に関する。
【背景技術】
【０００２】
従来の画像形成装置が開示された文献として、たとえば特開２０１５−９８３７１号公報（特許文献１）が挙げられる。
【０００３】
特許文献１に開示の画像形成装置にあっては、給紙口、排紙口等の開口部から塵埃が原稿搬送装置の内部に進入することを防止するために、給紙トレイを覆うトレイカバーが設けられている。トレイカバーは、開閉可能に設けられており、閉状態においては給紙口を覆い、開状態においては給紙トレイの一部を構成する。
【先行技術文献】
【特許文献】
【０００４】
【特許文献１】特開２０１５−９８３７１号公報
【発明の概要】
【発明が解決しようとする課題】
【０００５】
しかしながら、特許文献１に開示の画像形成装置にあっては、トレイカバーは、操作パネルが配置された正面側から見た場合に、前後方向を軸方向とする軸回りに回動可能に設けられている。
【０００６】
このため、上記前後方向における画像形成装置の両端側に回動軸を保持するための壁部が設けられる。これにより、排紙された原稿の取り出し方向が排紙方向に限定されてしまい、前方側から原稿を取り出すことができなかった。また、前方側から原稿を給紙トレイにセットすることも困難となる場合が生じる。この結果、利便性が低減する。
【０００７】
本発明は、上記のような問題に鑑みてなされたものであり、本発明の目的は、原稿搬送装置の内部に異物が進入することを抑制しつつ、利便性を向上させることができる画像読取装置および画像形成装置を提供することにある。
【課題を解決するための手段】
【０００８】
本発明に基づく画像読取装置は、原稿の画像を読み取る画像読取部と、上記画像読取部によって原稿の画像が読み取られる読取位置を経由するように原稿を搬送する搬送経路を内部に有する筐体部、上記筐体部の外側に設けられ、かつ、上記搬送経路に原稿を供給するための供給トレイ、および、上記供給トレイに上下方向に重なるように上記筐体部の外側に設けれ、かつ、上記搬送経路から排出された原稿を受ける排出トレイを含む原稿搬送装置と、上記供給トレイおよび上記排出トレイを覆った被覆状態と上記供給トレイおよび上記排出トレイが覆われていない非被覆状態とに切替可能に上記供給トレイおよび上記排出トレイを覆うカバー部材と、を備え、上記排出トレイにおける原稿の排出方向に沿う第１方向および上記上下方向に直交する方向を第２方向とした場合に、上記カバー部材は、上記被覆状態において、上記第２方向に位置する上記供給トレイの一端および上記排出トレイの一端に対向する対向壁部と、上記対向壁部の上部に接続され、かつ、上記供給トレイおよび上記排出トレイの上方を覆う上壁部と、を少なくとも含む。
【０００９】
上記本発明に基づく画像読取装置にあっては、上記カバー部材は、上記第２方向において上記供給トレイの上記一端側および上記排出トレイの上記一端側と反対側に位置する上記原稿搬送装置の端部側に、上記第１方向に平行な方向を回動軸とする軸回りに回動可能に取付けられていることが好ましい。
【００１０】
上記本発明に基づく画像読取装置にあっては、上記原稿搬送装置は、上記第２方向において上記供給トレイの上記一端側および上記排出トレイの上記一端側と反対側に位置する上記原稿搬送装置の端部に、上記第１方向に平行な方向を回動軸とする軸回りに回動可能に取付けられていることが好ましい。この場合には、上記筐体部は、上記原稿搬送装置を回動させるための第１取手部を有していてもよく、上記カバー部材は、上記カバー部材を回動させるための第２取手部を有していてもよい。
【００１１】
上記本発明に基づく画像読取装置にあっては、上記カバー部材は、上記被覆状態において、上記第１方向において上記筐体部から遠い側に位置する上記供給トレイの一方端部および上記排出トレイの一方端部に対向する側壁部をさらに含んでいることが好ましい。
【００１２】
上記本発明に基づく画像読取装置にあっては、上記側壁部は、上記第２方向に平行な方向を回動軸とする軸回りに回動可能に設けられていてもよい。
【００１３】
上記本発明に基づく画像読取装置にあっては、上記筐体部が有する色と上記カバー部材が有する色とが異なることが好ましい。
【００１４】
上記本発明に基づく画像読取装置にあっては、上記カバー部材の上記上壁部の上面は、平坦であることが好ましい。
【００１５】
本発明に基づく画像形成装置は、上記画像読取装置と、上記画像読取装置により読み取られた原稿の画像を形成する画像形成部と、を備える。
【発明の効果】
【００１６】
本発明によれば、原稿搬送装置の内部に異物が進入することを抑制しつつ、利便性を向上させることができる画像読取装置および画像形成装置を提供することができる。
【図面の簡単な説明】
【００１７】
【図１】実施の形態１に係る画像形成装置において、カバー部材が閉じている状態を示す斜視図である。
【図２】実施の形態１に係る画像形成装置の構成を示す概略図である。
【図３】実施の形態１に係る画像形成装置において、カバー部材が開いている状態を示す斜視図である。
【図４】実施の形態２に係る画像形成装置において、カバー部材が開いている状態を示す斜視図である。
【図５】実施の形態３に係る画像形成装置において、カバー部材が開いている状態を示す斜視図である。
【発明を実施するための形態】
【００１８】
以下、本発明の実施の形態について、図を参照して詳細に説明する。なお、以下に示す実施の形態においては、同一のまたは共通する部分について図中同一の符号を付し、その説明は繰り返さない。
【００１９】
（実施の形態１）
図１は、実施の形態１に係る画像形成装置において、カバー部材が閉じている状態を示す斜視図である。図２は、実施の形態１に係る画像形成装置の構成を示す概略図である。図３は、実施の形態１に係る画像形成装置において、カバー部材が開いている状態を示す斜視図である。図１から図３を参照して、実施の形態１に係る画像形成装置１００について説明する。
【００２０】
図１から３にいて、矢印Ｕ，Ｄは、上下方向を示し、矢印Ｌ，Ｒは画像形成装置１００の左右方向を示し、矢印Ｆｒ，Ｒｅは画像形成装置の前後方向を示す。なお、これらの矢印の意義については、図４，５においても共通する。
【００２１】
図１に示すように、画像形成装置１００は、主として、画像を形成する画像形成部１１０と、原稿の画像を読み取る画像読取装置１２０と、を備える。画像形成部１１０は、画像形成装置１００の下部側を構成し、画像読取装置１２０は、画像形成装置１００の上部側を構成する。
【００２２】
画像読取装置１２０は、画像読取部１３０、原稿搬送装置１４０、およびカバー部材１５０を含む。原稿搬送装置１４０は、画像読取部１３０の原稿読取台１３１に回動可能に保持されている。カバー部材１５０は、原稿搬送装置１４０に回動可能に保持されている。原稿搬送装置１４０およびカバー部材１５０は、後述する排出トレイ１４５（図３参照）における原稿の排出方向に沿って配置された回転軸の軸回りに回動する。原稿搬送装置１４０の回転軸とカバー部材１５０の回転軸とは異なる位置に位置する。なお、画像読取装置１２０の詳細な構成については、後述する。
【００２３】
画像形成装置１００は、原稿搬送装置１４０およびカバー部材１５０が閉じた状態においては、略直方体形状を有する。画像形成装置１００は、上下方向の途中部に、前面および右側側面の一部が切り欠かれた切欠部を有する。当該切欠部には、画像形成部１１０によって形成された画像が印刷された記録媒体が排出される後述のトレイ４８（図２参照）が配置される。
【００２４】
画像形成部１１０は、画像読取装置１２０により読み取られた原稿の画像を形成する。画像形成部１１０は、操作パネル１１１を含む。操作パネル１１１は、画像形成装置１００の前面の一部を構成する。操作パネル１１１は、タッチセンサと一体化した表示部によって構成されている。操作パネル１１１は、タッチセンサによって入力された情報を後述の制御部６０（図２参照）に入力する。
【００２５】
図２に示すように、画像形成部１１０は、画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０と、定着装置５０と、制御部６０と、クリーニング装置９０とを含む。
【００２６】
画像形成ユニット１Ｙ，１Ｍ，１Ｃ，１Ｋは、中間転写ベルト３０に沿って順に並べられている。画像形成ユニット１Ｙは、トナーボトル１５Ｙからトナーの供給を受けてイエロー（Ｙ）のトナー像を形成する。画像形成ユニット１Ｍは、トナーボトル１５Ｍからトナーの供給を受けてマゼンタ（Ｍ）のトナー像を形成する。画像形成ユニット１Ｃは、トナーボトル１５Ｃからトナーの供給を受けてシアン（Ｃ）のトナー像を形成する。画像形成ユニット１Ｋは、トナーボトル１５Ｋからトナーの供給を受けてブラック（ＢＫ）のトナー像を形成する。
【００２７】
画像形成ユニット１Ｙ，１Ｍ，１Ｃ，１Ｋは、それぞれ、感光体１０と、帯電装置１１と、露光装置１２と、現像装置１３と、クリーニング装置１７とを備える。
【００２８】
帯電装置１１は、感光体１０の表面を一様に帯電する。露光装置１２は、制御部６０からの制御信号に応じて感光体１０にレーザー光を照射し、入力された画像パターンに従って感光体１０の表面を露光する。これにより、入力画像に応じた静電潜像が感光体１０上に形成される。
【００２９】
現像装置１３は、現像ローラー１４を回転させながら、現像ローラー１４に現像バイアスを印加し、現像ローラー１４の表面にトナーを付着させる。これにより、トナーが現像ローラー１４から感光体１０に転写され、静電潜像に応じたトナー像が感光体１０の表面に現像される。
【００３０】
感光体１０と中間転写ベルト３０とは、一次転写ローラー３１を設けている部分で互いに接触している。一次転写ローラー３１は、ローラー形状を有し、回転可能に構成される。トナー像と反対極性の転写電圧が一次転写ローラー３１に印加されることによって、トナー像が感光体１０から中間転写ベルト３０に転写される。
【００３１】
イエロー（Ｙ）のトナー像、マゼンタ（Ｍ）のトナー像、シアン（Ｃ）のトナー像、およびブラック（ＢＫ）のトナー像が順に重ねられて感光体１０から中間転写ベルト３０に転写される。これにより、カラーのトナー像が中間転写ベルト３０上に形成される。
【００３２】
中間転写ベルト３０は、従動ローラー３８および駆動ローラー３９に張架されている。駆動ローラー３９は、たとえばモーター（図示しない）によって回転駆動される。中間転写ベルト３０および従動ローラー３８は、駆動ローラー３９に連動して回転する。これにより、中間転写ベルト３０上のトナー像が二次転写ローラー３３に搬送される。
【００３３】
クリーニング装置１７は、感光体１０に圧接されている。クリーニング装置１７は、トナー像の転写後に感光体１０の表面に残留するトナーを回収する。
【００３４】
カセット３７には、用紙Ｓがセットされる。用紙Ｓは、カセット３７から１枚ずつタイミングローラー４０によって搬送経路４１に沿って二次転写ローラー３３に送られる。
【００３５】
二次転写ローラー３３は、ローラー形状を有し、回転可能に構成される。二次転写ローラー３３は、トナー像と反対極性の転写電圧を搬送中の用紙Ｓに印加する。これにより、トナー像は、中間転写ベルト３０から二次転写ローラー３３に引き付けられ、中間転写ベルト３０上のトナー像が転写される。
【００３６】
一方、中間転写ベルト３０上の残留トナーは、クリーニング装置９０によって除去される。クリーニング装置９０は、転写ベルトクリーナー９１および廃トナーボックス９２を有する。上記残留トナーは、転写ベルトクリーナー９１で回収され、廃トナーボックス９２に蓄えられる。
【００３７】
二次転写ローラー３３への用紙Ｓの搬送タイミングは、中間転写ベルト３０上のトナー像の位置に合わせてタイミングローラー４０によって調整される。タイミングローラー４０により、中間転写ベルト３０上のトナー像は、用紙Ｓの適切な位置に転写される。
【００３８】
定着装置５０は、自身を通過する用紙Ｓを加圧および加熱する。これにより、トナー像は用紙Ｓに定着する。その後、用紙Ｓは、トレイ４８に排紙される。
【００３９】
図２および図３に示すように、原稿読取台１３１は、上面に原稿読取領域１３２，１３３を有する。原稿読取領域１３２においては、原稿搬送装置１４０によって搬送される原稿の画像を読み取る。原稿読取領域１３３においては、原稿読取台１３１に載置された原稿の画像を読み取る。
【００４０】
原稿搬送装置１４０は、搬送経路１４２を内部に有する筐体部１４１と、複数の搬送ローラー１４３と、供給トレイ１４４と、排出トレイ１４５と、原稿押え部１４６とを有する。
【００４１】
筐体部１４１は、原稿搬送装置１４０の右側部分を構成する。筐体部１４１は、後述するカバー部材１５０の上壁部１５２の一部が載置可能な載置部１４１ａを有する。載置部１４１ａは、筐体部１４１の上面の一部が窪むことにより構成されている。
【００４２】
筐体部１４１の内部に設けられた搬送経路１４２は、画像読取部１３０によって原稿の画像が読み取られる読取位置（原稿読取領域１３２）を経由するように原稿を搬送するように設けられている。搬送経路１４２は、供給トレイ１４４から供給された原稿が原稿読取領域１３２を経由して排出トレイ１４５に排出されるように設けられている。
【００４３】
また、筐体部１４１の内部には、搬送経路１４２に沿って複数の搬送ローラー１４３が配置されている。
【００４４】
供給トレイ１４４および排出トレイ１４５は、原稿搬送装置１４０の左側部分を構成する。供給トレイ１４４および排出トレイ１４５は、筐体部１４１の外側に設けられている。
【００４５】
供給トレイ１４４は、搬送経路１４２に原稿を供給するためのトレイである。排出トレイ１４５は、搬送経路１４２から排出された原稿を受ける。排出トレイ１４５は、供給トレイ１４４に上下方向に重なるように設けられている。具体的には、排出トレイ１４５は、供給トレイ１４４の下方に位置する。
【００４６】
原稿押え部１４６は、原稿搬送装置１４０の下部を構成する。原稿押え部１４６は、板状形状を有する。原稿押え部１４６は、原稿読取台１３１に載置された原稿を上方側から押さえる。
【００４７】
原稿押え部１４６は、ヒンジ部（不図示）によって、原稿読取台１３１に回動可能に取付けられている。ヒンジ部（不図示）は、排出トレイ１４５における原稿の排出方向に沿う方向（第１方向）に平行な回動軸を有する。なお、本実施の形態においては、排出方向は、画像形成装置１００の左右方向に略平行である。
【００４８】
原稿押え部１４６は、上記第１方向と上下方向に垂直な第２方向において、供給トレイ１４４の一端１４４ａ側および排出トレイ１４５の一端１４５ａ側とは反対側に位置する画像読取部１２１の端部に、回動可能に取付けられている。具体的には、原稿押え部１４６は、原稿読取台１３１の後部に、回動可能に取り付けられている。
【００４９】
原稿押え部１４６が、上記ヒンジ部の回動軸回りに回動することにより、原稿搬送装置１４０が全体的に、画像読取部１３０に対して回動する。
【００５０】
カバー部材１５０は、供給トレイ１４４および排出トレイ１４５を覆った被覆状態と、供給トレイ１４４および排出トレイ１４５を覆わない非被覆状態とに切替可能に供給トレイ１４４および排出トレイ１４５を覆う。
【００５１】
カバー部材１５０Ａが有する色と原稿搬送装置１４０（より特定的には筐体部１４１）が有する色とは、同じでもいいが、異なっていてもよい。カバー部材１５０Ａが有する色と原稿搬送装置１４０Ａが有する色とが異なる場合には、カバー部材１５０Ａと原稿搬送装置１４０とを区別しやすくなる。
【００５２】
カバー部材１５０は、対向壁部１５１、上壁部１５２を少なくとも含む。具体的には、カバー部材１５０は、対向壁部１５１、上壁部１５２、側壁部１５３、および取付部１５４を含む。
【００５３】
対向壁部１５１は、カバー部材１５０が供給トレイ１４４および排出トレイ１４５を覆った被覆状態において、上記第２方向に位置する供給トレイ１４４の一端１４４ａおよび排出トレイ１４５の一端１４５ａに対向する。すなわち、対向壁部１５１は、上記被覆状態において、供給トレイ１４４の前端および排出トレイ１４５の前端に対向する。対向壁部１５１は、上記被覆状態において、カバー部材１５０の前側部分を構成する。
【００５４】
上壁部１５２は、対向壁部１５１の上部に接続されている。上壁部１５２は、上記被覆状態において、供給トレイ１４４および排出トレイ１４５の上方を覆う。上壁部１５２は、上記被覆状態において、カバー部材１５０の上部を構成する。上壁部１５２の上面は、平坦である。上記被覆状態においては、上壁部１５２の上面は、水平面に対して略平行となる。
【００５５】
これにより、被覆状態において、上壁部１５２の上面に、タブレット端末、携帯型端末装置、およびモバイルコンピュータ等の電子機器、ならびに、書類等を載置することができる。この場合には、画像形成装置１００の周囲に複数人を集め、載置された電子機器や書類を用いて打合せ等を実施することができる。
【００５６】
上壁部１５２は、排出トレイ１４５における原稿の排出方向に沿う方向（第１方向）において、筐体部１４１が位置する側に向けて突出する突出部１５２ａ（図１参照）を有する。突出部１５２ａは、原稿搬送装置１４０の筐体部１４１に設けられた載置部１４１ａに対応する形状を有する。
【００５７】
当該突出部１５２ａは、上記被覆状態において、原稿搬送装置１４０の筐体部１４１に設けられた載置部１４１ａに載置される。突出部１５２ａが載置部１４１ａに載置された状態においては、上壁部１５２の上面と、筐体部１４１の上面とは、同一平面状に位置する。
【００５８】
これにより、上壁部１５２の上面と筐体部１４１の上面とを広く利用することができ、タブレット端末、携帯型端末装置、およびモバイルコンピュータ等の電子機器、ならびに、書類等をより安定的に配置できる。また、載置できるスペースが広くなることにより、より多くの人を画像形成装置１００の周囲に集めることができ、多数の人数で打合せ等を実施することも可能となる。
【００５９】
側壁部１５３は、上記被覆状態において、上記第１方向において筐体部１４１から遠い側に位置する供給トレイ１４４の一方端部１４４ｂおよび排出トレイ１４５の一方端部１４５ｂに対向する。すなわち、側壁部１５３は、上記被覆状態において、供給トレイ１４４の左端部および排出トレイ１４５の左端部に対向する。側壁部１５３は、カバー部材１５０の左側部分を構成する。側壁部１５３の上部は、上壁部１５２に接続されている。
【００６０】
取付部１５４は、カバー部材１５０の後部を構成する。取付部１５４は、上記第２方向において供給トレイ１４４の一端１４４ａおよび排出トレイ１４５の一端１４５ａと反対側に位置する原稿搬送装置１４０の端部に回動可能に取付けられている。具体的には、取付部１５４は、原稿搬送装置１４０の後部に回動可能に取付けられている。
【００６１】
取付部１５４は、上記第１方向に平行な回動軸回りに回動可能に取付けられている。取付部１５４が、上記回動軸回りに回動することにより、カバー部材１５０が、原稿搬送装置１４０に対して回動する。これにより、カバー部材１５０は、供給トレイ１４４および排出トレイ１４５が覆われた被覆状態と、供給トレイ１４４および排出トレイ１４５が覆われていない非被覆状態とを切替可能に構成される。
【００６２】
カバー部材１５０が、上述のような対向壁部１５１、上壁部１５２、および側壁部１５３を有することにより、被覆状態において、供給トレイ１４４および排出トレイ１４５が配置される空間がカバー部材１５０によって覆われる。これにより、塵埃等の異物が、原稿搬送装置１４０の内部（より特定的には筐体部１４１の内部）に進入することを抑制することができる。
【００６３】
また、カバー部材１５０を上方側に回動させて非被覆状態とした場合には、上記第１方向において筐体部１４１から遠い側に位置する供給トレイ１４４の一方端部１４４ｂ側および排出トレイ１４５の一方端部１４５ｂ側のみならず、上記第２方向における供給トレイ１４４の一端１４４ａ側および排出トレイ１４５の一端１４５ａ側からも使用者が、供給トレイ１４４および排出トレイ１４５にアクセスすることができる。
【００６４】
これにより、供給トレイ１４４への原稿の載置および排出トレイ１４５から原稿の取り出しを容易に行なうことができ、画像読取装置１２０およびこれを備えた画像形成装置１００の利便性が向上する。
【００６５】
以上のように、実施の形態１に係る画像読取装置１２０およびこれを備えた画像形成装置１００にあっては、原稿搬送装置の内部に異物が進入することを抑制しつつ、利便性を向上させることができる。
【００６６】
（実施の形態２）
図４は、実施の形態２に係る画像形成装置において、カバー部材が開いている状態を示す斜視図である。図４を参照して、実施の形態２に係る画像形成装置１００Ａについて説明する。
【００６７】
図４に示すように、実施の形態２に係る１００Ａは、実施の形態１に係る画像形成装置１００と比較した場合に、画像読取装置１２０Ａの構成が相違する。その他の構成については、ほぼ同様である。
【００６８】
実施の形態２に係る画像読取装置１２０Ａは、実施の形態１に係る画像読取装置１２０と比較した場合に、原稿搬送装置１４０Ａおよびカバー部材１５０Ａの構成が相違する。具体的には、筐体部１４１が第１取手部１４７を有する点およびカバー部材１５０が、第２取手部１５５を有する点において相違する。その他の構成については、ほぼ同様である。
【００６９】
第１取手部１４７は、筐体部１４１の表面の一部が窪むことにより構成されている。具体的には、第１取手部１４７は、筐体部１４１の前面の一部が窪むことにより構成されている。
【００７０】
第１取手部１４７は、使用者の指先を挿入可能に構成されている。使用者が、第１取手部１４７に指先を挿入し、原稿搬送装置１４０Ａを持ち上げることにより、原稿搬送装置１４０Ａが、上方に向けて回動する。
【００７１】
第２取手部１５５は、カバー部材１５０の表面の一部が窪むことにより構成されている。具体的には、第２取手部１５５は、カバー部材１５０の上壁部１５２の前面の一部が窪むことにより構成されている。
【００７２】
第２取手部１５５は、使用者の指先を挿入可能に構成されている。使用者が、第２取手部１５５に指先を挿入し、原稿搬送装置１４０Ａを持ち上げることにより、原稿搬送装置１４０Ａが、上方に向けて回動する。
【００７３】
以上のような構成を有する場合であっても、実施の形態２に係る画像読取装置１２０Ａおよび画像形成装置１００Ａは、実施の形態１に係る画像読取装置１２０および画像形成装置１００とほぼ同様の効果を有する。
【００７４】
加えて、上記第１取手部１４７が設けられることにより、原稿搬送装置１４０Ａを容易に回動させることができる。また、上記第２取手部１５５が設けられることにより、カバー部材１５０Ａを容易に回動させることができる。
【００７５】
また、第１取手部１４７は、カバー部材１５０の第２取手部１５５と異なる位置に設けられているため、使用者は、カバー部材１５０と原稿搬送装置１４０Ａとを区別して回動させることができる。これにより、使用者が回動させたい対象を間違えることを抑制することができる。
【００７６】
さらに、カバー部材１５０Ａが有する色と原稿搬送装置１４０Ａとが有する色とが異なる場合には、カバー部材１５０と原稿搬送装置１４０Ａとを視覚的に区別することができる。これにより、使用者が回動させたい対象を間違えることをより確実に抑制することができる。なお、カバー部材１５０Ａが有する色は、たとえば白色であり、原稿搬送装置１４０Ａの有する色（より特定的には、筐体部１４１が有する色）は、灰色または黒色である。
【００７７】
（実施の形態３）
図５は、実施の形態３に係る画像形成装置において、カバー部材が開いている状態を示す斜視図である。図５を参照して、実施の形態３に係る画像形成装置１００Ｂについて説明する。
【００７８】
図５に示すように、実施の形態３に係る画像形成装置１００Ｂは、実施の形態１に係る画像形成装置１００と比較した場合に、画像読取装置１２０Ｂの構成が相違する。具体的には、カバー部材１５０Ｂの構成が相違する。その他の構成については、ほぼ同様である。
【００７９】
カバー部材１５０Ｂは、実施の形態１に係るカバー部材１５０と比較した場合に、側壁部１５３Ｂが、原稿搬送装置１４０に取り付けられている点において相違する。
【００８０】
側壁部１５３Ｂは、排出トレイ１４５における原稿の排出方向に沿う方向（第１方向）および上下方向に垂直な第２方向に平行な方向を回動軸とする軸回りに回動可能に設けられている。側壁部１５３Ｂは、たとえばヒンジ（不図示）等によって回動可能に原稿押え部１４６に取り付けられている。側壁部１５３Ｂは、上記第１方向において筐体部１４１から遠い側に位置する原稿押え部１４６の一方端部（左側端部）に回動可能に取り付けられる。
【００８１】
以上のような構成を有する場合であっても、実施の形態３に係る画像読取装置１２０Ｂおよび画像形成装置１００Ｂは、実施の形態１に係る画像読取装置１２０および画像形成装置１００とほぼ同様の効果を有する。
【００８２】
加えて、カバー部材１５０Ｂが、対向壁部１５１および上壁部１５２を含む本体部と、側壁部１５３Ｂとが分割して構成されることにより、本体部と側壁部１５３Ｂとが一体となった構成と比較して、カバー部材１５０Ｂのうち第１方向に平行な軸回りに回動させることができる部分の重量を小さくすることができる。これにより、操作力量を低減させることができる。
【００８３】
さらに、上記のように側壁部１５３Ｂが第２方向に平行な方向を回動軸とする回動軸回りに回動可能に設けられることにより、上下壁部等が上方に向けて回動した非被覆状態のみならず、被覆状態から側壁部１５３Ｂのみを回動させた状態であっても、使用者が、供給トレイ１４４および排出トレイ１４５にアクセスすることが可能となる。
【００８４】
なお、上述した実施の形態３においては、側壁部１５３Ｂが原稿搬送装置１４０に取り付けられる場合を例示して説明したが、これに限定されず、画像読取部１３０に取り付けられていてもよいし、カバー部材１５０の上壁部１５２に取り付けられていてもよい。
【００８５】
側壁部１５３Ｂが画像読取部１３０に取り付けられる場合には、側壁部１５３Ｂは、原稿搬送装置１４０の回動動作に干渉しないように、上記第１方向において筐体部１４１から遠い側に位置する画像読取台１３１の一方端部（左側端部）に取り付けられる。
【００８６】
側壁部１５３Ｂが上壁部１５２に取り付けられる場合には、側壁部１５３Ｂは、上記第１方向において筐体部１４１から遠い側に位置する上壁部１５２の一方端部に取り付けられる。この場合には、回動軸は、側壁部１５３Ｂの上部側にあっても下部側にあってもよい。
【００８７】
上述した実施の形態１から３においては、カバー部材が回動可能に原稿搬送装置に取り付けられることにより、上記被覆状態と非被覆状態とに切替可能に構成される場合を例示して説明したが、これに限定されない。カバー部材が、着脱可能に原稿搬送装置に取り付けられることにより、上記被覆状態と非被覆状態とに切替可能に構成されていてもよい。
【００８８】
上述した実施の形態１から３においては、カバー部材が、対向壁部、上壁部、および側壁部を有する場合を例示して説明したが、これに限定されず、対向壁部および上壁部を有する限り、側壁部が省略されていてもよい。
【００８９】
この場合においても、被覆状態においては、上壁部によって供給トレイ１４４および排出トレイ１４５が覆われることなるため、異物が上方側から原稿搬送装置の内部（より特定的には筐体部１４１の内部）に進入することを抑制できる。また、対向壁部を有することにより、上壁部が、対向壁部と原稿搬送装置の筐体部１４１の上部によって指示されることとなり、カバー部材が安定して支持されることとなる。
【００９０】
さらに、側壁部が省略されることにより、カバー部材が側方（画像形成装置の左側）に向けて開放されることとなる。これにより、被覆状態においても、使用者が供給トレイ１４４および排出トレイ１４５にアクセスすることができる。
【００９１】
一方、非被覆状態においては、使用者が、上記第２方向における供給トレイの一端側および排出トレイの一端側（画像形成装置の前方側）から供給トレイ１４４および排出トレイ１４５にアクセスしやすくなる。これにより、前方側からの作業が容易になり、利便性が向上する。
【００９２】
なお、カバー部材が、第１方向に平行な方向を回動軸とする回動軸回りに回動可能に取付けられる場合には、カバー部材が着脱可能に原稿搬送装置に取り付けられる場合と比較して、被覆状態と非被覆状態の切替を容易に行なうことができる。
【００９３】
以上、今回発明された実施の形態はすべての点で例示であって制限的なものではない。本発明の範囲は特許請求の範囲によって示され、特許請求の範囲と均等の意味および範囲内でのすべての変更が含まれる。
【符号の説明】
【００９４】
１Ｃ，１Ｋ，１Ｍ，１Ｙ  画像形成ユニット、１０  感光体、１１  帯電装置、１２  露光装置、１３  現像装置、１４  現像ローラー、１５Ｃ，１５Ｋ，１５Ｍ，１５Ｙ  トナーボトル、１７  クリーニング装置、３０  中間転写ベルト、３１  一次転写ローラー、３３  二次転写ローラー、３７  カセット、３８  従動ローラー、３９  駆動ローラー、４０  タイミングローラー、４１  搬送経路、４８  トレイ、５０  定着装置、６０  制御部、９０  クリーニング装置、９１  転写ベルトクリーナー、９２  廃トナーボックス、１００，１００Ａ，１００Ｂ  画像形成装置、１１０  画像形成部、１１１  操作パネル、１２０，１２０Ａ，１２０Ｂ  画像読取装置、１３０  画像読取部、１３１  原稿読取台、１３２，１３３  原稿読取領域、１４０，１４０Ａ  原稿搬送装置、１４１  筐体部、１４１ａ  載置部、１４２  搬送経路、１４３  搬送ローラー、１４４  供給トレイ、１４４ａ，１４５ａ  一端、１４４ｂ，１４５ｂ  一方端部、１４５  排出トレイ、１４６  原稿押え部、１４７  第１取手部、１５０，１５０Ａ，１５０Ｂ  カバー部材、１５１  対向壁部、１５２  上壁部、１５２ａ  突出部、１５３，１５３Ｂ  側壁部、１５４  取付部、１５５  第２取手部。
【図１】
2018129581.tif 000003
【図２】
2018129581.tif 000004
【図３】
2018129581.tif 000005
【図４】
2018129581.tif 000006
【図５】
2018129581.tif 000007